(57)【要約】道路、小道及び歩道の建設に使用する合成縁石及び使用法。ここに記載される高分子縁石は、従来の縁石と同じ態様で路面の縁部を支持して、例えば、近くでの建設作業の間、道路の建設と使用を可能にする。高分子縁材は、最終的な道路の外観を損なう可能性なしに、上をドライブされ得る。これらの建設作業の終わりに、仮の高分子縁材は除去され従来の縁石（典型的にはコンクリート又は石製）で置き換えられる。使用においては、ここに記載される高分子縁石は好ましくは再使用可能なものである。或いは、縁石は、その場所に残して、車両が乗り上げたときの損傷に対する抵抗性が利用され得る。このように、縁材を長手方向に貫通する孔又は通路２，４は、ガス、水、電気、通信等の設備および／または排水路を提供するために使用され得る。【選択図】図１
2004515669.tif 000002
【特許請求の範囲】
【請求項１】
貫通配置された少なくとも一つの長手方向通路（２，４）を有する高分子縁石。
【請求項２】
高分子縁石が、硬い、軽量の、耐久性のあるゴム又はポリエチレンコンパウンドから形成された請求項１記載の高分子縁石。
【請求項３】
高分子縁石が、既存の標準のコンクリート製の片面取り又はブルノーズ縁材の厳密な寸法で形成された請求項１記載の高分子縁石。
【請求項４】
各高分子縁石が、片面取り縁材を長手方向に貫通する２個以上の孔（２）を有し、またブルノーズ縁材を長手方向に貫通する一つの孔（４）を有する請求項３記載の高分子縁石。
【請求項５】
高分子縁石が、運搬と設置を容易にするための着脱可能な四分の一回転ハンドルを挿入し得る孔（３）を備えた請求項１記載の高分子縁石。
【請求項６】
使用されるゴムコンパウンドが再生利用ゴムタイヤから得られるものである請求項２記載の高分子縁石。
【請求項７】
高分子縁石が、４ＭＰａ乃至３Ｇｐａの弾性係数を有する材料から形成され、４．４ＭＰａはＩＲＨＤ（硬度）値６０（任意単位）に相当する、請求項１記載の高分子縁石。
【請求項８】
少なくとも一つの長手方向通路（２，４）が、ガス、水、電気、通信等の設備および／または排水路を提供するために使用され得る請求項１記載の高分子縁石。
【請求項９】
高分子縁石が、前記長手方向通路（２，４）の接続を容易にするための連結素子が設けられた端面を備えた請求項１記載の高分子縁石。
【請求項１０】
次のステップからなる道路敷設方法。
（ａ）道路の境界部に沿って一組の耐久性高分子縁石を置くこと；
（ｂ）道路のサブベースを敷設すること；
（ｃ）耐久性高分子縁石を非高分子縁石と取り替えること；及び
（ｄ）道路の頂部被覆を敷設すること
【発明の詳細な説明】
【０００１】
この発明は合成縁石及び使用法に関するものである。特に、本発明は道路、小道及び歩道の建設に使用できる合成縁石に関するものである。
【０００２】
現在のところ、道路や歩道の建設において、建設契約の初期段階でコンクリートの縁材を敷設するのが定法である。典型的には、道路は現場へアクセスできるように比較的に早くから建設される。道路のサブベース（ｓｕｂ−ｂａｓｅ）及び基部層タールマック（ｂａｓｅ ｃｏｕｒｓｅ ｔａｒｍａｃ）もまた契約のこの段階で敷設されて耐酷使物（ａ ｈａｒｄ−ｓｔａｎｄｉｎｇ）および／または現場へアクセスする建設車両のための面として作用し、この建設車両は建設材料および／または廃棄物を満載していることが多い。そのためコンクリート縁材は破損或いは多くの場合修理不可能な損傷を受けやすい。この結果、契約の終わり頃で、頂部層タールマック（ｔｏｐ−ｃｏｕｒｓｅ ｔａｒｍａｃ）の敷設前に、縁材を取り替えることになり、従って余分の費用が請負人の経費としてふりかかる恐れがある。
【０００３】
これらの問題を克服するために、韓国特許ＫＲ１３２７２１Ｙは、中心の両側に１列に形成された２個の円推形の孔、及び縁の周りに刻設された装着溝を有する緩衝ゴム製縁材を開示している。ＫＲ１３２７２１Ｙに記載された縁材は、道路に配置される装着素子と共に使用され、円錐形のスタッドを円錐形の孔へ押し込み、縁材を装着溝へ押し込んで縁材素子を道路へ固定する。これらの縁石は所定位置に永久固定されるように設計されている。しかし、この解決策に関した問題は、装着素子が設置前に道路に先ず配置されなければならないこと、及び縁石が装着素子に合致する特定の装着孔と溝とを有するように製造されなければならないことである。このように、この２部分構成は、製造が高価であり、設置に時間がかかる。
【０００４】
本発明の目的は、建設の最終段階まで最終的な縁石の敷設を遅らせることにより縁材損傷の発生を減少させる合成縁石及び使用法を提供することである。ここに記載される高分子縁石は、従来の縁石と同じ態様で路面の縁部を支持して、例えば、近くでの建設作業の間、道路の建設と使用を可能にする。高分子縁材は、最終的な道路の外観を損なう可能性なしに、上をドライブされ得る。これらの建設作業の終わりに、仮の高分子縁材は除去され従来の縁石（典型的にはコンクリート又は石製）で置き換えられる。使用においては、ここに記載される高分子縁石は好ましくは再使用可能なものである。或いは、縁石は、その場所に残して、車両が乗り上げたときの損傷に対する抵抗性が利用され得る。
【０００５】
本発明によれば、少なくとも一つの長手方向の貫通通路（ｃｈａｎｎｅｌ）を有する高分子縁石が提供される。
【０００６】
好ましくは、高分子縁石は、硬い、軽量な、耐久性のあるゴム又はポリエチレンコンパウンド（ｒｕｂｂｅｒ ｏｒ ｐｏｌｙｅｔｈｙｌｅｎｅ ｃｏｍｐｏｕｎｄ）から形成される。縁石の一部は、重量を軽減するために密度の低い高分子材料から作ってもよい。好適な実施例では、縁石の全重量は２５ｋｇ以下であり、これにより縁石は、英国における「一人で持ち上げる」という規定、及びその他の国の同様の規定を満たすことができる。
【０００７】
典型的には、ここに記載される高分子縁石は既存の標準のコンクリート製の片面取り（ｈａｌｆ−ｂａｔｔｅｒｅｄ）、又はブルノーズ（ｂｕｌｌ−ｎｏｓｅｄ）縁材の厳密な寸法で形成される。本発明の他の実施例は他の面取りされた、丸み付けされた、および／または隅切にされた縁石を提供する。
【０００８】
各縁材の好ましい他の特徴は、片面取りの縁材を長手方向に貫通する２個以上の孔、及びブルノーズ縁材を長手方向に貫通する１個以上の孔が存在することである。長手方向の孔は、縁材の衝撃吸収性、従ってまた耐久性を向上させ、また、製品の重量を減じるものと考えられる。好適な実施例においては、縁石の端面に連結固定素子を設けることができる。
【０００９】
追加的に、又は代わりに、縁石を貫通する１個以上の長手方向孔は、ガス、水、電気、通信等の設備および／または排水路を提供する余地があり得る。設備用ダクトの提供は、縁材が一時的使用よりもむしろ永久取り付けを意図されるときに特に有益である。設備用ダクトのためには、アクセス孔を設けることができる。理想的には、設備用ダクトと排水用ダクトは別々に設けられる。
【００１０】
好ましくは、縁石の端面に、１つの又は各長手方向孔のための連結素子を設けることができる。これらは、例えば、いんろう継手の形態をとり得る。
【００１１】
他の好適な実施例では、縁石に、運搬や設置を容易にするための着脱可能な四分の一回転ハンドル（ｑｕａｒｔｅｒ−ｔｕｒｎ ｈａｎｄｌｅ）を挿入できる孔が設けられる。
【００１２】
更に好ましくは、使用されるゴムコンパウンドは再生利用ゴムタイヤから得られるものである。これはリクラムゴム（ｒｅ−ｃｒｕｍｂ ｒｕｂｂｅｒ）と呼ばれることが多い。他のプラスチック材料を採用することもできる。ポリエチレンで作られる製品は、新しい又は再生利用のポリエチレンから作られる。
【００１３】
特定の実施例においては、必要に応じ縁材を各種の色で製造するために、染料又は顔料を添加することができる。好ましい色及び風合は既存の縁石に調和する。
【００１４】
好ましくは、縁材は４ＭＰａ（メガパスカル）乃至３Ｇｐａ（ギガパスカル）の弾性係数を有する材料から作られ、ここに４．４ＭＰａは、ＩＲＨＤ［国際ゴム硬さ］（硬さ）値６０（任意単位 ［ａｒｂｉｔｒａｒｙ ｕｎｉｔｓ］）に相当する。
【００１５】
また本発明によれば、次のステップからなる道路の敷設方法が提供される。
（ａ）道路の境界部に沿って一組の耐久性高分子縁石を置くこと；
（ｂ）道路のサブベースを敷設すること；
（ｃ）耐久性高分子縁石を非高分子縁石と取り替えること；及び
（ｄ）道路の頂部被覆を敷設すること
【００１６】
本発明による合成縁石は上記問題を少なくとも処理する。本発明の利点は建設の最終段階まで最終的な縁石の敷設を遅らせることにより縁材の損傷の発生を減少させる合成縁石及び使用法が提供されることである。ここに記載される高分子縁石は、従来の縁石と同じ態様で路面の縁部を支持して、例えば、近くでの建設作業の間、道路の建設と使用を可能にする。高分子縁材は、最終的な道路の外観を損なう可能性なしに、上をドライブされ得る。これらの建設作業の終わりに、仮の高分子縁材は除去され従来の縁石（典型的にはコンクリート又は石製）で置き換えられる。使用においては、ここに記載される高分子縁石は好ましくは再使用可能なものである。或いは、縁石は、その場所に残して、車両が乗り上げたときの損傷に対する抵抗性が利用され得る。
【００１７】
本発明の変形例が可能であることは当業者に明らかであろうし、また本発明は、特にここに述べられる以外の態様で使用されることが予定されている。
【００１８】
本発明の特定の非限定的な実施形態を添付図面を参照して実施例により述べる。
【００１９】
図１は本発明の斜視図であり、高分子縁石は従来の片面取りの縁材の厳密な寸法を有する。
【００２０】
図２は本発明の斜視図であり、高分子縁石は従来のブルノーズ縁材の厳密な寸法を有する。
【００２１】
図面を参照すると、本発明による合成縁石は図１に示されている。図１は、１２．５°又は１５°の角度の面取り１を備えた従来の片面取りの縁材の厳密な寸法による高分子縁石を示す。好適な他の特徴は、縁材を長手方向に貫通する２個以上の孔２の提供である。使用において、これらの孔又は通路２はガス、水、電気、通信等の設備および／または排水路を提供する余地があり得る。これらの設備の通路２の提供は、縁材が永久固定物として配置されるときに特に有益である。
【００２２】
運搬及び設置を容易にするために、縁石には、上面に、着脱可能な四分の一回転ハンドル（図示せず）を挿入し得る２個の孔３が設けられている。
【００２３】
図２は、従来のブルノーズ縁材の厳密な寸法による本発明の高分子縁石を示し、またやはり縁材を長手方向に貫通する１個以上の孔４という追加的特徴を示す。やはり、着脱可能な四分の一回転ハンドル（図示せず）の挿入を可能にする孔３が縁石の上面に設けられている。
【００２４】
本発明の範囲を逸脱しない限り、本発明について種々の変更や改変が可能である。例えば、特定の実施形態では建設契約の終わりに耐久性高分子縁石を非高分子縁石と取り替えることに言及するが、これは使用における限定を意味するものでなく、本発明は縁石を永久固定物としてその場所に残し、車両が乗り上げたときの損傷に対する抵抗性が利用されるように実施できる。このように、縁材を長手方向に貫通する孔又は通路２，４は、ガス、水、電気、通信等の設備および／または排水路を提供するために使用され得る。
【図面の簡単な説明】
【図１】
本発明の斜視図であり、高分子縁石は従来の片面取りの縁材の厳密な寸法を有する。
【図２】
本発明の斜視図であり、高分子縁石は従来のブルノーズ縁材の厳密な寸法を有する。
【国際公開パンフレット】
2004515669.tif 000003
2004515669.tif 000004
2004515669.tif 000005
2004515669.tif 000006
2004515669.tif 000007
2004515669.tif 000008
2004515669.tif 000009
2004515669.tif 000010
2004515669.tif 000011
2004515669.tif 000012
2004515669.tif 000013
【国際調査報告】
2004515669.tif 000014
2004515669.tif 000015
2004515669.tif 000016